(57)【要約】【課題】動作パラメータを含む部品情報を適正状態に復元することができる電子部品実装システムを提供することを目的とする。【解決手段】電子部品実装作業部１０によって複数種類の電子部品を基板に実装する電子部品実装システムにおいて、電子部品実装作業部１０の動作態様を数値によって定める動作パラメータを含んだ部品情報および部品情報の変更履歴を部品情報変更履歴記憶部２１に記憶しておき、電子部品実装作業中に生じる実装ミスを検出してその発生状況に関する実装ミス情報を記録して実装ミスの推移を表示部１８の画面に表示させるとともに、指定された日時に基づいて当該日時における過去の部品情報を読み出して表示することにより、部品情報の変更と実装ミスとの間の相関関係を容易に確認することが可能となり、動作パラメータを含む部品情報を適正状態に復元することができる。【選択図】図２
2014093335.tif 000002
【特許請求の範囲】
【請求項１】
基板に複数種類の電子部品を実装する電子部品実装作業を実行する電子部品実装作業部によって複数種類の電子部品を基板に実装する電子部品実装システムであって、
前記電子部品実装作業における前記電子部品実装作業部の動作態様を数値によって定める動作パラメータを含んだ部品情報を記憶する部品情報記憶部と、
前記電子部品実装作業中に生じる実装ミスを検出してその発生状況に関する実装ミス情報を記録する実装ミス記録手段と、
前記部品情報記憶部の部品情報の変更履歴を記憶する部品情報変更履歴記憶部と、
前記実装ミス記録手段によって記録された実装ミスの推移を表示部の画面に表示させるとともに、指定された日時に基づいて当該日時における過去の部品情報を前記部品情報変更履歴記憶部より読み出して当該表示部の画面に表示する部品情報表示手段とを備えたことを特徴とする電子部品実装システム。
【請求項２】
前記部品情報表示手段は、前記実装ミスの推移をグラフ形式で表示部の画面に表示させるとともに、当該グラフ形式で表示された画面において指定された日時に基づいて、当該日時における過去の部品情報を前記部品情報変更履歴記憶部より読み出して当該表示部の画面に表示することを特徴とする請求項１記載の電子部品実装システム。
【請求項３】
電子部品実装作業部で生じたイベントを検出するイベント検出手段と、検出したイベントとそれを検出した検出日時を記録するイベント情報記憶部とを備え、
前記部品情報表示手段はグラフ形式で表示された実装ミスの推移とともに当該イベント情報記憶部に記憶されたイベントを画面に表示することを特徴とする請求項２記載の電子部品実装システム。
【請求項４】
表示部の画面に表示された過去の部品情報を前記部品情報記憶部に記憶する部品情報更新手段を備えたことを特徴とする請求項１から３のいずれかに記載の電子部品実装システム。
【発明の詳細な説明】
【技術分野】
【０００１】
本発明は、基板に複数種類の電子部品を実装する電子部品実装作業を実行する電子部品実装システムに関するものである。
【背景技術】
【０００２】
基板に電子部品を実装する電子部品実装作業は、部品供給部から電子部品を吸着ノズルによって取り出す吸着動作、取り出された電子部品を撮像して認識する認識動作、電子部品を基板上に移送して搭載する搭載動作など、各種の実装作業動作より構成される。電子部品実装作業では、微細部品をハンドリングする精細な作業動作を高精度・高効率で実行することが求められるため、部品実装作業を実行する電子部品実装装置においては、各作業動作を最適な動作態様で実行するための動作パラメータが電子部品の種類に応じて予め設定され、データテーブルの形で記憶される（例えば特許文献１，２参照）。
【０００３】
特許文献１に示す先行技術例では、電子部品を移送搭載する搭載ヘッドや基板を位置決めするＸＹテーブルなどの制御軸における動作パラメータである最適速度・最適加速度を、各部品種毎にまとめてデータテーブルとして記憶するようにしている。また特許文献１に示す先行技術例では、対象とする電子部品の種類に応じて、使用する吸着ノズルの種類や実装速度を切り替えるようにしている。
【先行技術文献】
【特許文献】
【０００４】
【特許文献１】特開２０００−２６１１９７号公報
【特許文献２】特開２００３−２８３１８８号公報
【発明の概要】
【発明が解決しようとする課題】
【０００５】
実装基板を生産する電子部品実装システムには、多品種少量生産の要請に対応するための汎用性が従来に増して求めらるようになっている。このため、電子部品実装システムを構成する各装置では、多種類の電子部品のそれぞれについて適正な実装作業動作が確保されるよう、動作パラメータを含む部品情報を部品種毎に設定するようにしている。
【０００６】
このような部品情報を適正に設定する上では、単に部品種に由来する要素のみならず個々の装置特性など、多くの項目を考慮する必要があることから、必ずしも常に最適な部品情報の設定がなされているとは限らない。すなわち部品情報の設定作業は、主に個々のオペレータに委ねられており、オペレータが自らの判断で部品情報を不適正に変更した結果、却って作業精度・効率を低下させてしまう事態が発生しうる。しかしながら上述の特許文献例を含め先行技術においては、部品情報の変更と作業精度や生産性の変動との間の相関関係を確認することが困難で、部品情報の不適正な変更によって作業精度や生産性の悪化を招いた場合に、部品情報を適正状態に復元することができなかった。
【０００７】
そこで本発明は、動作パラメータを含む部品情報を適正状態に復元することができる電子部品実装システムを提供することを目的とする。
【課題を解決するための手段】
【０００８】
本発明の電子部品実装システムは、基板に複数種類の電子部品を実装する電子部品実装作業を実行する電子部品実装作業部によって複数種類の電子部品を基板に実装する電子部品実装システムであって、前記電子部品実装作業における前記電子部品実装作業部の動作態様を数値によって定める動作パラメータを含んだ部品情報を記憶する部品情報記憶部と、前記電子部品実装作業中に生じる実装ミスを検出してその発生状況に関する実装ミス情報を記録する実装ミス記録手段と、前記部品情報記憶部の部品情報の変更履歴を記憶する部品情報変更履歴記憶部と、前記実装ミス記録手段によって記録された実装ミスの推移を表示部の画面に表示させるとともに、指定された日時に基づいて当該日時における過去の部品情報を前記部品情報変更履歴記憶部より読み出して当該表示部の画面に表示する部品情報表示手段とを備えた。
【発明の効果】
【０００９】
本発明によれば、電子部品実装作業部によって複数種類の電子部品を基板に実装する電子部品実装システムにおいて、電子部品実装作業部の動作態様を数値によって定める動作パラメータを含んだ部品情報および部品情報の変更履歴を記憶しておき、電子部品実装作業中に生じる実装ミスを検出してその発生状況に関する実装ミス情報を記録して実装ミスの推移を表示部の画面に表示させるとともに、指定された日時に基づいて当該日時における過去の部品情報を読み出して表示画面に表示することにより、部品情報の変更と実装ミスとの間の相関関係を容易に確認することが可能となり、動作パラメータを含む部品情報を適正状態に復元することができる。
【図面の簡単な説明】
【００１０】
【図１】本発明の一実施の形態の電子部品実装システムの構成説明図
【図２】本発明の一実施の形態の電子部品実装システムに用いられる部品実装装置および上位システムの構成を示すブロック図
【図３】本発明の一実施の形態の電子部品実装システムにおける部品情報編集画面（１）の説明図
【図４】本発明の一実施の形態の電子部品実装システムにおける部品情報編集画面（２）の説明図
【図５】本発明の一実施の形態の電子部品実装システムにおける部品情報編集画面（３）の説明図
【図６】本発明の一実施の形態の電子部品実装システムにおける部品情報編集画面（４）の説明図
【図７】本発明の一実施の形態の電子部品実装システムにおける部品情報編集画面（５）の説明図
【図８】本発明の一実施の形態の電子部品実装システムにおける部品情報更新処理のフロー図
【発明を実施するための形態】
【００１１】
次に本発明の実施の形態を図面を参照して説明する。まず図１を参照して、電子部品実装システム１の構成を説明する。電子部品実装システム１は基板に複数種類の電子部品を実装する電子部品実装作業を実行する電子部品実装作業部によって、複数種類の電子部品を基板に実装して実装基板を生産する機能を有するものである。電子部品実装システム１は、実装対象の基板をそれぞれ供給・受渡し・回収する機能を有する基板供給装置Ｍ１、基板受渡装置Ｍ２と、基板回収装置Ｍ８との間に、複数の電子部品実装用装置である印刷装置Ｍ３、第１部品実装装置Ｍ４（実装機＃１）、第２部品実装装置Ｍ５（実装機＃２）、第３部品実装装置Ｍ６（実装機＃３）およびリフロー装置Ｍ７を直列に連結して構成された部品実装ライン１ａを主体としている。
【００１２】
基板供給装置Ｍ１〜基板回収装置Ｍ８の各装置は通信ネットワーク２を介して管理コンピュータを有する上位システム３に接続されている。部品実装ライン１ａの各装置が備えた基板搬送機構は直列に連結されて基板搬送路を形成する。部品実装作業においては、この基板搬送路に沿って搬送される基板に対して、印刷装置Ｍ３、第１部品実装装置Ｍ４、第２部品実装装置Ｍ５、第３部品実装装置Ｍ６およびリフロー装置Ｍ７によって電子部品を実装するための部品実装用作業が行われる。
【００１３】
すなわち、基板供給装置Ｍ１によって供給された基板６は基板受渡装置Ｍ２を介して印刷装置Ｍ３に搬入され、ここで基板６に部品接合用の半田をスクリーン印刷する半田印刷作業が行われる。スクリーン印刷後の基板６は第１部品実装装置Ｍ４、第２部品実装装置Ｍ５、第３部品実装装置Ｍ６に順次受け渡され、ここで半田印刷後の基板に対して電子部品を搭載する部品搭載作業が実行される。そして部品搭載後の基板６はリフロー装置Ｍ７に搬入され、ここで所定の加熱プロファイルにしたがって加熱されることにより部品接合用の半田が溶融固化する。これにより電子部品が基板に半田接合されて、基板に電子部品を実装した実装基板が完成し、基板回収装置Ｍ８に回収される。
【００１４】
次に図２を参照して、第１部品実装装置Ｍ４〜第３部品実装装置Ｍ６および上位システム３の構成を説明する。第１部品実装装置Ｍ４（実装機＃１）、第２部品実装装置Ｍ５（実装機＃２）、第３部品実装装置Ｍ６（実装機＃３）は同一構成であり、ここでは第１部品実装装置Ｍ４（実装機＃１）のみを図示している。第１部品実装装置Ｍ４（実装機＃１）は、電子部品実装作業部１０，実装データ記憶部１１、部品情報記憶部１２、実装ミス検出部１３、イベント検出部１４、データ処理部１５、画面表示処理部１６、操作・入力部１７、表示部１８、通信部１９を備えている。
【００１５】
電子部品実装作業部１０は、内蔵した実装制御部によって実装機構部を制御することにより、部品実装装置における電子部品実装作業，すなわち部品供給部から電子部品を搭載ヘッドによって吸着して取り出し、取り出した電子部品を部品認識カメラによって認識した後に、この電子部品を搭載ヘッドによって基板に移送搭載する作業を実行する。実装データ記憶部１１は、実装制御部による制御において必要なデータ、すなわち生産対象の基板における部品実装位置や実装シーケンスデータなどを記憶する。
【００１６】
部品情報記憶部１２は、実装対象となる部品についての各種の情報を記憶する。この部品情報には電子部品実装作業における電子部品実装作業部の動作態様を数値によって定める動作パラメータが含まれる。これらの部品情報は必要に応じて随時更新されるものであり、ここでは最も新しい更新日時の部品情報が記憶されている。実装ミス検出部１３は、電子部品実装作業中に生じる実装ミスを検出する処理を行う。
【００１７】
ここで実装ミスとは、実装作業動作を実行するシーケンスにおいて、機構各部に配設された各種のセンサや制御装置のタイマからの信号が予め規定された条件から外れる事象であり、実装ミス検出部１３はこれらの信号を監視することにより、実装ミスの発生を検出する。ここでは、部品供給部のテープフィーダから部品を吸着して取り出す際の吸着ミス、取り出した部品を搭載ヘッドで保持した状態で認識する際に生じる認識ミスおよび認識後の部品を搭載ヘッドによって基板に移送搭載する際に生じる搭載ミスを総称して実装ミスとしている。
【００１８】
イベント検出部１４（イベント検出手段）は、電子部品実装作業部１０において発生したイベント、すなわち装置稼働状態を把握する目的で記録される作業実行履歴上で記録すべき事象の発生を検出する。ここではイベントとして、動作パラメータなどの部品情報が変更される情報関連イベント、部品供給部におけるテープフィーダ着脱、テープフィーダにおけるテープ継ぎ目検出など、ハード要素の何らかの変動を伴うハード関連イベントのいずれをも検出の対象としている。データ処理部１５は、部品情報記憶部１２に記憶される部品情報の更新処理や上位システム３との間でのデータ同期などの処理を行う。画面表示処理部１６は、図３以下に示す部品情報編集用の各種画面の表示のためのデータ処理を行う。
【００１９】
操作・入力部１７は、キーボード、タッチパネル、マウスなどの入力装置であり、操作コマンドやデータ入力時に用いられる。表示部１８は液晶パネルなどの表示装置であり、操作・入力部１７による操作時の案内画面や図３以下に示す部品情報編集用の各種画面の表示を行う。通信部１９は通信インターフェイスであり、通信ネットワーク２を介して他装置や上位システム３との間で信号の授受を行う。
【００２０】
上位システム３は、実装データ記憶部２０、部品情報変更履歴記憶部２１、実装ミス情報記憶部２２、過去実装ミス情報記憶部２３、イベント情報記憶部２４、作業能力演算部２５、画面表示処理部２６、操作・入力部２７、表示部２８、通信部２９を備えている。
【００２１】
実装データ記憶部２０は、電子部品実装作業の実行に必要なデータ、すなわち生産対象の基板における実装位置や実装シーケンスデータなどを各部品種について記憶する。部品情報変更履歴記憶部２１は、部品情報記憶部１２に記憶される部品情報の変更履歴、すなわち随時変更された部品情報の変更内容と更新がなされた更新日時とを組み合わせた変更履歴データを記憶する。実装ミス情報記憶部２２は、電子部品実装作業中に実装ミス検出部１３によって検出された実装ミスの発生状況に関する実装ミス情報を記憶する。実装ミス検出部１３および実装ミス情報記憶部２２は、実装ミスの発生状況に関する実装ミス情報を記録する実装ミス記録手段となっている。
【００２２】
過去実装ミス情報記憶部２３は、過去の部品情報に対応する過去の実装ミス情報を記憶する。イベント情報記憶部２４は、イベント検出部１４によって検出されたイベントをそのイベントが発生した発生日時とリンクさせて記録する。作業能力演算部２５は、当該装置における作業能力を、例えば単位作業操作を実行するのに要した実績時間などに基づく生産性指数の形式で算出する演算を行う。画面表示処理部２６は、各種の画面を表示するためのデータ処理を行う。
【００２３】
操作・入力部２７は、キーボード、タッチパネル、マウスなどの入力装置であり、操作コマンドやデータ入力時に用いられる。表示部２８は液晶パネルなどの表示装置であり、操作・入力部２７による操作時の案内画面や各種報知画面の表示を行う。通信部２９は通信インターフェイスであり、通信ネットワーク２を介して他装置や上位システム３との間で信号の授受を行う。
【００２４】
以下、部品情報の編集や参照など各種作業の実行に際して、表示部１８の表示画面１８ａに表示される各種画面について説明する。まず、図３を参照して、部品情報の編集作業を開始する際に表示されるメイン画面である部品情報編集画面（１）３１について説明する。表示画面１８ａには、部品情報編集画面（１）３１のタイトルを示す「部品情報編集」３１ａが表示されている。操作内容選択画面３１ｂには、３つの選択操作ボタン「ミス発生状況参照」３１ｃ、「過去・他装置情報参照」３１ｄ、「部品の品種を指定」３１ｅが設けられている。
【００２５】
「ミス発生状況参照」３１ｃを操作することにより、表示画面１８ａが図４に示す部品情報編集画面（２）３２に遷移し、実装ミス発生状況の参照が可能となる。「過去・他装置情報参照」３１ｄを操作することにより、表示画面が図７に示す部品情報編集画面（５）３５に遷移して、部品情報変更履歴などの過去情報、および他装置に関する情報などの参照が可能となる。また「品種入力欄」３１ｆに部品の種類を入力して「部品の品種を指定」３１ｅを操作することにより、表示画面が図６に示す部品情報編集画面（４）３４に遷移する。そして操作ボタン「戻る」３１ｇを操作することにより、前画面に遷移する。
【００２６】
次に図４を参照して、実装ミスの発生状況を参照する際に表示させる部品情報編集画面（２）３２について説明する。ここで実装ミスとは前述のように、吸着ミス、認識ミスおよび搭載ミスの全てを包含した総称である。表示画面１８ａには、部品情報編集画面（２）３２のタイトルを示す「ミス発生状況」３２ａが表示されており、実装機入力欄３２ｂに参照対象とする実装機の番号（ここでは＃１〜＃３のいずれか）を入力することにより、参照対象が特定される。画面上部に表示された表示切り替えボタン３２ｃには、「部品」３２ｄ、「フィーダ」３２ｅ、「ノズル」３２ｆが設定されており、これらのいずれかを操作することにより、実装ミスの表示方法を部品（電子部品）別、フィーダ（テープフィーダ）別、ノズル（吸着ノズル）別に切替て、以下に説明するミス表示欄３２ｇに表示させることができる。
【００２７】
すなわちミス表示欄３２ｇには、「吸着ミス」３２ｊ、「認識ミス」３２ｋ、「搭載ミス」３２ｌおよびこれらを包括した「実装ミス」３２ｉの発生頻度が、「品種」３２ｈ毎にマトリクス状に表示される。図示例では、表示切り替えボタン３２ｃにおいて「部品」３２ｄが選択されており、「品種」３２ｈには作業対象とされた部品の品種が各行毎に表示され、これらの品種に対応して発生したミスの発生頻度がミス表示欄３２ｇの各セルに表示される。
【００２８】
スクロールボタン３２ｏを操作することにより、ミス表示欄３２ｇを上下にスクロールさせて、所望の品種についてのミス発生状況の表示を選択することができ、操作ボタン「戻る」３２ｎを操作することにより、前画面に遷移する。そしてミス表示欄３２ｇにおいてポインタ３２ｍを特定の行に合わせてダブルクリックなどの選択操作を行うことにより、表示画面１８ａが図５に示す部品情報編集画面（３）３３に遷移し、選択操作によって特定された品種の部品についての実装ミスの発生状況を参照することができる。
【００２９】
次に図５を参照して、部品情報編集画面（３）３３について説明する。表示画面１８ａには、部品情報編集画面（３）３３のタイトルを示す「ミス発生状況」３３ａおよび部品情報編集画面（２）３２にて選択されて特定された品種を表示する品種表示欄３３ｂおよび表示切り替えボタン３３ｃが表示される。表示切り替えボタン３３ｃは、ミス発生状況表示欄３３ｈにおいて表示対象となるミスの種類を切り替える機能を有しており、「吸着ミス」３３ｅ、「認識ミス」３３ｆ、「搭載ミス」３３ｇおよびこれらを包括した「実装ミス」３３ｄの区分にしたがってミスの種類毎に発生状況を参照することができるようになっている。
【００３０】
ミス発生状況表示欄３３ｈには、横軸に時間軸３３ｉを対応させ、縦軸にミス発生度数を示す発生度数指標軸３３ｍ、実測作業時間などの実績作業能力を示す生産性指標軸３３ｐの２種類の指標を対応させたグラフ形式で、表示切り替えボタン３３ｃにて特定された種類のミス発生状況の詳細が表示される。ここでは、部品情報が標準値の場合の作業時間と、部品情報が現在値の状態における作業時間との比率（％）を以て、生産性指標値と定義している。
【００３１】
ミス発生度数表示部３３ｎには、時間軸３３ｉ上に沿って各タイミングにて発生したミスの発生数が、発生度数指標軸３３ｍのスケールに基づいた棒グラフ３３ｏにて表示される。ミス発生度数としては、単位実装個数当たりの発生回数が用いられるが、実装ミス情報記憶部２２に記憶された内容に基づいて生成可能な指標であれば、発生率や累積発生回数などを用いてもよい。
【００３２】
またミス発生状況表示欄３３ｈには、各タイミングにおける生産性指標値が、折れ線グラフ３３ｑにて表示されている。ここに示す例では、生産性指標値が９０％以上であることを標準範囲としており、折れ線グラフ３３ｑの推移を観察することにより、当該装置における生産性の変動を時間軸３３ｉの各タイミングに対応させて監視することができる。そしてミス発生状況表示欄３３ｈには、時間軸３３ｉにおける特定の日時に対応した日時指定カーソル３３ｊが当該日時を表示する日時表示欄３３ｌともに表示されている。
【００３３】
ポインタ３３ｋを画面上で操作することにより、日時指定カーソル３３ｊを横移動させることができ、日時表示欄３３ｌには日時指定カーソル３３ｊに対応した日時が表示される。そしてミス発生状況表示欄３３ｈにおいて日時指定カーソル３３ｊを特定のタイミングに合わせた状態で、ポインタ３３ｋによってダブルクリックなどの選択操作を行うことにより、表示画面１８ａが図６に示す部品情報編集画面（４）３４に遷移し、選択操作によって特定された日時における動作パラメータなどの部品情報の詳細内容を参照することができる。
【００３４】
これらの画面表示は、部品情報表示手段としての画面表示処理部１６によって行われる。まず画面表示処理部１６は、前述の実装ミス記録手段によって記録された実装ミスの推移を表示部１８の表示画面１８ａに表示させるとともに、指定された日時に基づいて、当該日時における過去の部品情報を部品情報変更履歴記憶部２１より読み出して、当該表示部１８の画面に表示する部品情報表示手段として機能する。さらに画面表示処理部１６は、表示部１８の表示画面１８ａに実装ミスの推移を、ミス発生状況表示欄３３ｈにおいて棒グラフ３３ｏや折れ線グラフ３３ｑなどを用いたグラフ形式で表示させるとともに、当該グラフ形式で表示された画面において日時指定カーソル３３ｊによって指定された日時に基づいて、当該日時における過去の部品情報を部品情報変更履歴記憶部２１より読み出して、当該表示部１８の表示画面１８ａに表示するようになっている。
【００３５】
また部品情報編集画面（３）３３には、時間軸３３ｉに沿ってイベント表示部３３ｒが表示される。イベント表示部３３ｒには、時間軸３３ｉに対応する時間帯において検出されたイベントを、検出タイミングに対応させて表示している。ここでは、上段には動作パラメータなどの部品情報が変更される情報関連イベントが、また下段にはハード要素の何らかの変動を伴うハード関連イベントが、それぞれの検出タイミングに対応した符号（ここではそれぞれ情報イベント符号３３ｔ▽、ハード関連イベント符号３３ｓ△）で表示される。
【００３６】
そして図５（ｂ）に示すように、イベント表示部３３ｒにおいて表示された情報イベント符号３３ｔ▽、ハード関連イベント符号３３ｓ△のいずれかにポインタ３３ｋを近づけることにより、当該符号に対応するイベントの内容がバルーン表示される。例えば、図５（ｂ）において上側に示す例では、ハード関連イベント符号３３ｓ△に対応して「テープ継ぎ目検出」が、また下側に示した例では、情報イベント符号３３ｔ▽に対応して「部品情報更新」が、それぞれバルーン表示される。そして操作ボタン「戻る」３３ｕを操作することにより、前画面に遷移する。
【００３７】
すなわち電子部品実装システム１は、電子部品実装作業部１０で生じたイベントを検出するイベント検出手段としてのイベント検出部１４と、検出したイベントとそれを検出した検出日時を記録するイベント情報記憶部２４とを備えた構成となっている。そして部品情報表示手段としての画面表示処理部１６は、グラフ形式で表示された実装ミスの推移とともに、当該イベント情報記憶部２４に記憶されたイベントを表示画面１８ａに表示するようにしている。このように、実装ミスの発生状況を示すグラフ形式で表示する表示画面１８ａに、その時期に発生したイベントを併せて表示させることにより、発生した実装ミスとイベントの相関関係を推測することができ、実装ミスを減少させるための適正な部品情報の選定のための判断が容易となっている。
【００３８】
次に図６を参照して、前述のポインタ３３ｋのクリック操作によって表示される部品情報編集画面（４）３４について説明する。表示画面１８ａには、部品情報編集画面（４）３４のタイトルを示す「部品情報」３４ａおよび部品情報編集画面（３）３３にて選択されて、部品情報編集画面（４）３４にて対象となった品種を表示する品種表示欄３４ｂ、現時点における部品情報（現在値として表示されている部品情報）の更新日時を示す更新日時表示欄３４ｃが表示される。
【００３９】
そして部品情報表示欄３４ｄには、ミスの区分に対応した作業動作（ここでは、吸着ミスに対応した吸着動作３４ｅ，認識動作に対応した認識動作３４ｆ、・・）毎に、これら作業動作において適用される部品情報としての動作パラメータの「現在値」表示欄３４ｇ、「変更値」（過去データ）表示欄３４ｈが表示されている。例えば、吸着動作３４ｅにおける動作パラメータとして、ノズル下降速度、吸着高さ、吸着待ち時間、ノズル上昇速度が、また認識動作３４ｆにおける動作パラメータとして、アルゴリズム、ノズル高さ、通過速度、明るさなどが表示されている。ここで、スクロールボタン３４ｉを操作することにより、部品情報表示欄３４ｄを上下にスクロールさせて、認識動作３４ｆ以外の搭載動作などにおける動作パラメータを表示させることができる。
【００４０】
「現在値」表示欄３４ｇには、現在の部品情報、すなわち更新日時が最も新しい部品情報が表示される。「変更値」表示欄３４ｈには、部品情報編集画面（３）３３における選択操作によって指定された日時以前で最も新しい更新日時の部品情報、または部品情報編集画面（５）３５における選択操作によって指定された更新日時の部品情報が表示される。このように「変更値」表示欄３４ｈに過去データを表示させることにより、オペレータは装置稼働における過去の実装ミス発生状況を参照しながら、最適な部品情報を呼び出すことができる。
【００４１】
さらに「変更値」表示欄３４ｈの数値は、必要に応じて操作・入力部１７を介して新たに入力または変更することができるようになっている。また操作ボタン「変更値クリア」３４ｋを操作することにより、「変更値」表示欄３４ｈをクリアすることもできる。なお、部品情報編集画面（１）３１において「部品の品種を指定」３１ｅにより部品情報編集画面（４）３４に遷移した場合には、「変更値」表示欄３４ｈは空欄となる。
【００４２】
ここで操作ボタン「更新」３４ｊを操作することにより、データ処理部１５の部品情報更新処理機能によって、「変更値」表示欄３４ｈに表示された部品情報が、更新日時とともに対象となる実装機の部品情報記憶部１２に記憶される。すなわちデータ処理部１５は、表示部１８の表示画面１８ａに表示された過去の部品情報を、部品情報記憶部１２に記憶する部品情報更新手段として機能する。
【００４３】
そして当該実装機のデータ処理部１５は、検出した実装ミスを記録日時とともに、過去実装ミス情報記憶部２３に記憶する。このときの記録日時は、更新前の部品情報の更新日時である。そして操作ボタン「過去データ呼び出し」３４ｌを操作することにより、表示画面１８ａは図７に示す部品情報編集画面（５）３５に遷移し、操作ボタン「戻る」３４ｍを操作することにより、前画面に遷移する。
【００４４】
図８は、部品情報編集画面（４）３４において操作ボタン「更新」３４ｊを操作した後に、各実装機のデータ処理部１５によって実行される部品情報更新処理を示している。まず過去実装ミス情報記憶処理が実行される（ＳＴ１）。すなわち、「更新」によって置き換えられる直前の部品情報を使用して作業動作を行った際に生じた実装ミスに関する記録を、その部品情報の更新日時と「更新」の時点で記録されている実装ミス情報とを関連させて過去実装ミス情報記憶部２３へ記憶する処理を行う。具体的には、データ処理部１５は操作ボタン「更新」が操作されると部品情報編集画面（４）３４において更新日時表示欄３４ｃに表示された更新日時と現時点における実装ミス情報とを関連付けて過去実装ミス情報記憶部２３へ記憶する。
【００４５】
次いで、部品情報更新処理が実行される（ＳＴ２）。すなわち、部品情報編集画面（４）３４において、更新日時表示欄３４ｃの更新日時を現在日時によって置き換えるとともに、「変更値」表示欄３４ｈに表示された部品情報の変更値によって、「現在値」表示欄３４ｇに表示される部品情報の現在値を置き換える。これにより、部品情報変更処理が完了する。
【００４６】
上述の部品情報変更処理においては、更新前の部品情報とその部品情報に基づいて作業動作を行った際に生じた実装ミスを示す実装ミス情報とが日時情報（更新日時及び記録日時）によって関連付けられて、過去実装ミス情報記憶部２３に記憶される。すなわち、過去実装ミス情報記憶部２３は、部品情報を変更した際に、当該部品情報に係る種類の電子部品の電子部品実装作業で発生した実装ミスに関する実装ミス情報と部品情報変更履歴記憶部２１に記憶された変更直前の部品情報である過去の部品情報とを関連付けする関連付け手段となっている。換言すれば、この関連付け手段は過去の部品情報に対応する過去の実装ミス情報を記憶することにより、過去の実装ミス情報と過去の部品情報とを関連付けする。
【００４７】
次に図７を参照して、部品情報編集画面（５）３５について説明する。表示画面２８ａには、部品情報編集画面（５）３５のタイトルを示す「部品情報変更履歴」３５ａおよび部品情報編集画面（３）３３にて選択されて部品情報編集画面（４）３４にて対象となった品種を表示する品種表示欄３５ｂおよび過去の部品情報を実装ミス情報とともに対照可能に示す過去実装ミス表示欄３５ｃが表示される。過去実装ミス表示欄３５ｃには、部品情報の「更新日時」とこれに対応する「記録日時」毎に過去実装ミス情報記憶部２３に記憶された実装ミスに関する複数の情報が、「更新日時」表示欄３５ｄに対応して表示される。すなわち過去実装ミス表示欄３５ｃには、「吸着ミス」３５ｆ、「認識ミス」３５ｇ、「搭載ミス」３５ｈおよびこれらを包括した「実装ミス」３５ｅの発生頻度が、「更新日時」表示欄３５ｄ毎に表示される。そしてスクロールボタン３５ｉ、３５ｊを操作することにより、過去実装ミス表示欄３５ｃを上下・左右にスクロールさせることができ、所望の更新日時、ミス種類についての実装ミス情報を表示させることができる。
【００４８】
ここでポインタ３５ｋを「更新日時」表示欄３５ｄにおける任意の更新日時の列に合わせてダブルクリック等の選択操作を行うことにより、表示画面１８ａは図６に示す部品情報編集画面（４）３４に遷移する。これにより、部品情報編集画面（４）３４における「変更値」表示欄３４ｈには、当該選択操作によって指定された更新日時にて変更された内容を示す部品情報が表示される。そして操作ボタン「戻る」３５ｌを操作することにより、前画面に遷移する。
【００４９】
すなわち、部品情報編集画面（５）３５では、部品情報表示手段としての画面表示処理部１６によって、関連付けされた過去の部品情報と過去の実装ミス情報を表示部１８の表示画面１８ａに表示するようにしている。そしてこの部品情報表示手段は、複数の過去の実装ミス情報を表示部１８の表示画面１８ａに設定された過去実装ミス表示欄３５ｃに表示し、過去実装ミス表示欄３５ｃ上でポインタ３５ｋの操作によって選択された過去の実装ミス情報に関連付けされた過去の部品情報を、部品情報編集画面（４）３４の形態で表示部１８の表示画面１８ａに表示するようにしている。
【００５０】
上記説明したように本実施の形態では、電子部品実装作業部１０によって複数種類の電子部品を基板に実装する電子部品実装システム１において、電子部品実装作業部１０の動作態様を数値によって定める動作パラメータを含んだ部品情報および部品情報の変更履歴を記憶しておき、電子部品実装作業中に生じる実装ミスを検出してその発生状況に関する実装ミス情報を記録して実装ミスの推移を表示部１８の表示画面１８ａに表示させるとともに、指定された日時に基づいて当該日時における過去の部品情報を読み出して表示画面１８ａに表示するようにしており、さらに部品情報を変更した際に当該部品情報に係る種類の電子部品の電子部品実装作業で発生した実装ミスに関する実装ミス情報と変更直前の部品情報である過去の部品情報とを関連付けた過去実装ミス情報を表示画面１８ａに表示するようにしている。これにより、部品情報の変更と実装ミスとの間の相関関係を容易に確認することが可能となり、動作パラメータを含む部品情報の参照や適正状態への復元を行うことができる。
【００５１】
なお上記実施の形態においては、部品情報表示手段として実装機＃１〜＃３に備えられた画面表示処理部１６を用い、操作・入力部１７を介しての操作によって部品情報更新処理を行わせ、処理結果を表示部１８に表示させる処理実行例を示したが、これらの処理を上位システム３が備えた機能によって実行するようにしてもよい。この場合には、画面表示処理部２６，操作・入力部２７，表示部２８が同様の処理を実行する。
【産業上の利用可能性】
【００５２】
本発明の電子部品実装システムは、動作パラメータを含む部品情報の参照や適正状態への復元を行うことができるという効果を有し、基板に電子部品を実装することにより実装基板を製造する電子部品実装分野に有用である。
【符号の説明】
【００５３】
１  電子部品実装システム
１ａ  部品実装ライン
２  通信ネットワーク
３１  部品情報編集画面（１）
３２  部品情報編集画面（２）
３３  部品情報編集画面（３）
３４  部品情報編集画面（４）
３５  部品情報編集画面（５）
Ｍ１  基板供給装置
Ｍ２  基板受渡装置
Ｍ３  印刷装置
Ｍ４  実装機＃１
Ｍ５  実装機＃２
Ｍ６  実装機＃３
Ｍ７  リフロー装置
Ｍ８  基板回収装置
【図１】
2014093335.tif 000003
【図２】
2014093335.tif 000004
【図３】
2014093335.tif 000005
【図４】
2014093335.tif 000006
【図５】
2014093335.tif 000007
【図６】
2014093335.tif 000008
【図７】
2014093335.tif 000009
【図８】
2014093335.tif 000010